(57)【要約】      （修正有）【課題】少ない組み立て部材によって、子供の自由な生活行動と遊び行動を可能にしこれらを通じて発想の転換と興味と思考力を醸成し、自発的な組み立ても可能にした夢のある子供用家具調遊具を提供する。【解決手段】一対のエンドプレート１００Ｌ、１００Ｒと、複数の連結ポール２００と、各種プレートとの任意の組み合わせからなり、エンドプレートは丸みを付けたＡ型プレートとしかつ回転防止部１０２を形成した穴１０３を穿設し、連結具は連結ポールの端部に嵌入連結する嵌入連結部３０１と連結ポールの端面とエンドプレートの穴の連結ポール側の周囲に当接する鍔３０２を有し中央部に被回転防止部３０３を形成して穴に挿出入可能にした胴部３０４を形成し穴から突出する前部にナット３０６を螺合するボルト部３０５を形成しナットはエンドプレートの穴の反連結ポール側の周面への当接面に緩み防止パッキンを設けたことを特徴とする子供用家具調遊具。【選択図】図１
2014204946.tif 000002
【特許請求の範囲】
【請求項１】
一対のエンドプレートと、このエンドプレート間に平行に介在させる複数の連結ポールと、前記エンドプレートに連結ポールを着脱可能に連結する連結具とからなり、
前記各エンドプレートは両側面を平面にし全端面を曲面にした丸みを付けたＡ型プレートとしかつ両側面を貫通し回転防止部を形成した複数の挿入穴を穿設し、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。
【請求項２】
一対のエンドプレートと、このエンドプレート間に平行に介在させる複数の連結ポールと、エンドプレート間に位置させ前後の前記連結ポールに水平状態に載置する平プレートと、エンドプレートに連結ポールを着脱可能に連結する連結具とからなり、
前記各エンドプレートは両側面を平面にし全端面を曲面にした丸みを付けたＡ型プレートとしかつ両側面を貫通し回転防止部を形成した複数の挿入穴を穿設し、
前記平プレートは前後に前記前後の連結ポールとの着脱手段を設け、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。
【請求項３】
一対のエンドプレートと、このエンドプレート間に平行に介在させる複数の連結ポールと、エンドプレート間に前後の前記連結ポールに載置する座面と背凭れを構成する背凭れ椅子と、エンドプレートに連結ポールを着脱可能に連結する連結具とからなり、
前記各エンドプレートは両側面を平面にし全端面を曲面にした丸みを付けたＡ型プレートとしかつ両側面を貫通し回転防止部を形成した複数の穴を穿設し、
前記背凭れ椅子は座面の前後に前記前後の連結ポールとの着脱手段を設け、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。
【請求項４】
一対のエンドプレートと、このエンドプレート間に平行に介在させる複数の連結ポールと、エンドプレート間の上部前後の連結ポール間に水平状態に載置するステッププレートと、上記上部前の連結ポールに上端部を連結し下端部を床又は地面に当接させる滑り用プレートと、エンドプレートに連結ポールを着脱可能に連結する連結具とからなり、
前記各エンドプレートは両側面を平面にし、全端面を曲面にした丸みを付けたＡ型プレートとし、かつ両側面を貫通し回転防止部を形成した複数の挿入穴を穿設し、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。
【請求項５】
一対のエンドプレートと、このエンドプレート間に平行に介在させる複数の連結ポールと、エンドプレート間に前後の前記連結ポールに亘り設ける座布と、前記エンドプレートに連結ポールを着脱可能に連結する連結具とからなり、
前記各エンドプレートは、両側面を平面にし全端面を曲面にした丸みを付けたＡ型プレートとし、かつ両側面を貫通し回転防止部を形成した複数の挿入穴を穿設し、
前記座布は、前後に連結ポールへの装着手段を有し、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。
【請求項６】
一対のエンドプレートと、このエンドプレート間に平行に介在させる複数の連結ポールと、エンドプレート間に前後の前記連結ポールに亘り設ける座布と、エンドプレートに連結ポールを着脱可能に連結する連結具とからなり、
前記各エンドプレートは、９０度回転させた横置きにして揺動可能にし、両側面を平面にし全端面を曲面にした丸みを付けたＡ型プレートとしかつ両側面を貫通し回転防止部を形成した複数の挿入穴を穿設し、
前記座布は、前後に連結ポールへの装着手段を有し、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。
【請求項７】
一対のエンドプレートと、このエンドプレート間に平行に介在させる複数の連結ポールと、前記両エンドプレートの前後の下部に両側の側面枠を連結する上反り湾曲プレートと、前記エンドプレートに直接又は側面枠を介してエンドプレートに連結ポールを着脱可能に連結する連結具とからなり、
前記各エンドプレートは、両側面を平面にし全端面を曲面にした丸みを付けたＡ型プレートとしかつ両側面を貫通し回転防止部を形成した複数の挿入穴を穿設し、
前記上反り湾曲プレートは、両側の側面枠に両側面を貫通し回転防止部を形成した複数の挿入穴を穿設し、
前記連結具は、後部に連結ポールの端部に嵌入連結する嵌入連結部又は連結ポールの端部を挿入して連結する挿入連結部と、嵌入連結部又は挿入連結部にエンドプレート又は上反り湾曲プレートの側面枠の前記挿入穴の前記連結ポール側の周囲に当接する鍔を形成し、中央部に前記穴の回転防止部用の被回転防止部を形成して前記エンドプレートの挿入穴に、又は上反り湾曲プレート側面枠とエンドプレートとの両挿入穴に、挿出入可能にした胴部を形成し、エンドプレートの挿入穴から突出する前部にナットを螺合するボルト部を形成し、前記ナットはエンドプレートの挿入穴の反連結ポール側の周面に当接する面に緩み防止パッキンを設けたことを特徴とする子供用家具調遊具。
【請求項８】
一対のエンドプレートと、このエンドプレート間に平行に介在させる複数の連結ポールと、エンドプレート間の上部前後の連結ポール間に水平状態に載置するステッププレートと、前記両エンドプレートの前後の上部に両側の側面枠を連結し下端部を床又は地面に当接させる滑り用の上反り湾曲プレートと、前記エンドプレートに直接又は上反り湾曲プレートの側面枠を介してエンドプレートに連結ポールを着脱可能に連結する連結具とからなり、前記各エンドプレートは両側面を平面にし、全端面を曲面にした丸みを付けたＡ型プレートとし、かつ両側面を貫通し回転防止部を形成した複数の挿入穴を穿設し、
前記上反り湾曲プレートは、両側の側面枠に両側面を貫通し回転防止部を形成した複数の挿入穴を穿設し、
前記連結具は、後部に連結ポールの端部に嵌入連結する嵌入連結部又は連結ポールの端部を挿入して連結する挿入連結部と、嵌入連結部又は挿入連結部にエンドプレート又は上反り湾曲プレートの側面枠の前記挿入穴の前記連結ポール側の周囲に当接する鍔を形成し、中央部に前記穴の回転防止部用の被回転防止部を形成して前記エンドプレートの挿入穴に、又は上反り湾曲プレート側面枠とエンドプレートとの両挿入穴に、挿出入可能にした胴部を形成し、エンドプレートの挿入穴から突出する前部にナットを螺合するボルト部を形成し、前記ナットはエンドプレートの挿入穴の反連結ポール側の周面に当接する面に緩み防止パッキンを設けたことを特徴とする子供用家具調遊具。
【発明の詳細な説明】
【技術分野】
【０００１】  本発明は、子供の成長に合わせて変化自在に組み立て利用できる子供用家具調遊具に関するものである。
【背景技術】
【０００２】遊具とまでもいかないが、子供用の組立家具として過去に、（１）脚に積木式ブロックを用いた机や椅子、（２）平板座面の下の脚部分に長さ調節手段を設けた机や椅子が紹介されている。【０００３】前記（１）の机や椅子は、特開平８−２３８１４８号公報にて「積木脚を備えた幼児用家具及びその構成部材」として紹介されており、資源の無駄の排除、幼児の成長に応じて机や椅子の高さを換え、経済的負担も生じないことを目的に、小口面に孔や突起を設けた積木式ブロックを、透孔を備えたプレートとピンを用いて多様に積んで机や椅子の脚とする発明である。【０００４】前記（２）の机や椅子は、特開平１０−２３４５２８号公報にて「幼児用家具」として紹介されており、幼児が成長しても膝と座面とが当接せず、且つ、座る際に所定寸法以上の空間を必要とすることが無い様な幼児用家具の提供を目的として、座面の平板部分とその平板部分から下方に延びる脚部分を有する幼児用家具において、その脚部分に長さを調節する調節手段を設けた発明である。
いずれも「子供の成長に合わせて組み立てる幼児用家具」とは言え、用途が机や椅子に限定されており、夢のある「遊具的な変更展開ができる」家具には程遠い。
従って、子供の遊びニーズ及び必要に応じて目的単位に多くの幼児用家具を揃える結果となる。
【発明の概要】
【発明が解決しようとする課題】
【０００６】本発明は、少ない組み立て部材によって、子供の成長に合わせて次の条件を満たす夢のある子供用家具調遊具を提供するものである。
１）、安全であること。
２）、子供の自由な生活行動を可能にすると共に遊び行動も満足させることができること。
３）、子供の生活・遊び行動に応じて子供の目前で用途に応じて組み立て変換して、発想の転換と興味と思考力の醸成を、自然体で感じさせること。
４）、３）を通じて子供が自発的に組み立て可能な家具に変更できること。
【課題を解決するための手段】
【０００７】上記課題を満足させる本発明の子供用家具調遊具における特徴は次の（１）〜（６）の通りである。【０００８】（１）、一対のエンドプレートと、このエンドプレート間に平行に介在させる複数の連結ポールと、前記エンドプレートに連結ポールを着脱可能に連結する連結具とからなり、
前記各エンドプレートは両側面を平面にし全端面を曲面にした丸みを付けたＡ型プレートとしかつ両側面を貫通し回転防止部を形成した複数の挿入穴を穿設し、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。【０００９】（２）、一対のエンドプレートと、このエンドプレート間に平行に介在させる複数の連結ポールと、エンドプレート間に位置させ前後の前記連結ポールに水平状態に載置する平プレートと、エンドプレートに連結ポールを着脱可能に連結する連結具とからなり、
前記各エンドプレートは両側面を平面にし全端面を曲面にした丸みを付けたＡ型プレートとしかつ両側面を貫通し回転防止部を形成した複数の挿入穴を穿設し、
前記平プレートは前後に前記前後の連結ポールとの着脱手段を設け、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。【００１０】（３）、一対のエンドプレートと、このエンドプレート間に平行に介在させる複数の連結ポールと、エンドプレート間に前後の前記連結ポールに載置する座面と背凭れを構成する背凭れ椅子と、エンドプレートに連結ポールを着脱可能に連結する連結具とからなり、
前記各エンドプレートは両側面を平面にし全端面を曲面にした丸みを付けたＡ型プレートとしかつ両側面を貫通し回転防止部を形成した複数の穴を穿設し、
前記背凭れ椅子は座面の前後に前記前後の連結ポールとの着脱手段を設け、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。【００１１】（４）、一対のエンドプレートと、このエンドプレート間に平行に介在させる複数の連結ポールと、エンドプレート間の上部前後の連結ポール間に水平状態に載置するステッププレートと、上記上部前の連結ポールに上端部を連結し下端部を床又は地面に当接させる滑り用プレートと、エンドプレートに連結ポールを着脱可能に連結する連結具とからなり、
前記各エンドプレートは両側面を平面にし、全端面を曲面にした丸みを付けたＡ型プレートとし、かつ両側面を貫通し回転防止部を形成した複数の挿入穴を穿設し、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。【００１２】（５）、一対のエンドプレートと、このエンドプレート間に平行に介在させる複数の連結ポールと、エンドプレート間に前後の前記連結ポールに亘り設ける座布と、前記エンドプレートに連結ポールを着脱可能に連結する連結具とからなり、
前記各エンドプレートは、両側面を平面にし全端面を曲面にした丸みを付けたＡ型プレートとし、かつ両側面を貫通し回転防止部を形成した複数の挿入穴を穿設し、
前記座布は、前後に連結ポールへの装着手段を有し、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。【００１３】（６）、一対のエンドプレートと、このエンドプレート間に平行に介在させる複数の連結ポールと、エンドプレート間に前後の前記連結ポールに亘り設ける座布と、エンドプレートに連結ポールを着脱可能に連結する連結具とからなり、
前記各エンドプレートは、９０度回転させた横置きにして揺動可能にし、両側面を平面にし全端面を曲面にした丸みを付けたＡ型プレートとしかつ両側面を貫通し回転防止部を形成した複数の挿入穴を穿設し、
前記座布は、前後に連結ポールへの装着手段を有し、
前記連結具は、後部に連結ポールの端部に嵌入連結する嵌入連結部又は連結ポールの端部を挿入して連結する挿入連結部と、嵌入連結部又は挿入連結部にエンドプレートの前記挿入穴の前記連結ポール側の周囲に当接する鍔を形成し、中央部に前記穴の回転防止部用の被回転防止部を形成して前記穴に挿出入可能にした胴部を形成し、前記挿入穴から突出する前部にナットを螺合するボルト部を形成し、前記ナットはエンドプレートの穴の反連結ポール側の周面に当接する面に緩み防止パッキンを設けたことを特徴とする子供用家具調遊具。【００１３】（７）、一対のエンドプレートと、このエンドプレート間に平行に介在させる複数の連結ポールと、前記両エンドプレートの前後の下部に両側の側面枠を連結する上反り湾曲プレートと、前記エンドプレートに直接又は側面枠を介してエンドプレートに連結ポールを着脱可能に連結する連結具とからなり、
前記各エンドプレートは、両側面を平面にし全端面を曲面にした丸みを付けたＡ型プレートとしかつ両側面を貫通し回転防止部を形成した複数の挿入穴を穿設し、
前記上反り湾曲プレートは、両側の側面枠に両側面を貫通し回転防止部を形成した複数の挿入穴を穿設し、
前記連結具は、後部に連結ポールの端部に嵌入連結する嵌入連結部又は連結ポールの端部を挿入して連結する挿入連結部と、嵌入連結部又は挿入連結部にエンドプレート又は上反り湾曲プレートの側面枠の前記挿入穴の前記連結ポール側の周囲に当接する鍔を形成し、中央部に前記穴の回転防止部用の被回転防止部を形成して前記エンドプレートの挿入穴に、又は上反り湾曲プレート側面枠とエンドプレートとの両挿入穴に、挿出入可能にした胴部を形成し、エンドプレートの挿入穴から突出する前部にナットを螺合するボルト部を形成し、前記ナットはエンドプレートの挿入穴の反連結ポール側の周面に当接する面に緩み防止パッキンを設けたことを特徴とする子供用家具調遊具。【００１３】（８）、一対のエンドプレートと、このエンドプレート間に平行に介在させる複数の連結ポールと、エンドプレート間の上部前後の連結ポール間に水平状態に載置するステッププレートと、前記両エンドプレートの前後の上部に両側の側面枠を連結し下端部を床又は地面に当接させる滑り用の上反り湾曲プレートと、前記エンドプレートに直接又は上反り湾曲プレートの側面枠を介してエンドプレートに連結ポールを着脱可能に連結する連結具とからなり、
前記各エンドプレートは両側面を平面にし、全端面を曲面にした丸みを付けたＡ型プレートとし、かつ両側面を貫通し回転防止部を形成した複数の挿入穴を穿設し、
前記上反り湾曲プレートは、両側の側面枠に両側面を貫通し回転防止部を形成した複数の挿入穴を穿設し、
前記連結具は、後部に連結ポールの端部に嵌入連結する嵌入連結部又は連結ポールの端部を挿入して連結する挿入連結部と、嵌入連結部又は挿入連結部にエンドプレート又は上反り湾曲プレートの側面枠の前記挿入穴の前記連結ポール側の周囲に当接する鍔を形成し、中央部に前記穴の回転防止部用の被回転防止部を形成して前記エンドプレートの挿入穴に、又は上反り湾曲プレート側面枠とエンドプレートとの両挿入穴に、挿出入可能にした胴部を形成し、エンドプレートの挿入穴から突出する前部にナットを螺合するボルト部を形成し、前記ナットはエンドプレートの挿入穴の反連結ポール側の周面に当接する面に緩み防止パッキンを設けたことを特徴とする子供用家具調遊具。
【発明の効果】
【００１４】  本発明の子供用家具調遊具は、前記した特徴のように「一対のエンドプレートと、このエンドプレート間に複数の連結ポールを平行に介在させ、前記エンドプレートと各連結ポールを連結具で着脱可能に連結することを基本構成としこれに、エンドプレートを横配置や縦配置を自由に任意に選択して、各種平面プレート、滑りプレート、上反り湾曲プレート、背凭れ椅子、座布等を適宜選択して、各種例の安全で夢のある楽しい家具調の遊具に迅速安全に容易に組み立てることが出来るのである。
これにより本発明の子供用家具調遊具は、子供たちが見るだけでなく、自由に触れて、乗ったり揺すったり動かしたり物を置いたり並べたりすることができるため、多くの遊び心を通じて学習をすることができる等の優れた作用効果がある。【００１５】  前記各エンドプレートは、両側面を平面にし全端面を曲面にした丸みを付けたＡ型プレートとすることにより抵抗なく安全に取り扱うことができる。また両側面の縁部に回転防止部を形成した複数の穴を穿設して連結具で緊締して保形したので、使用中に連結ポールが回転することなく、緩めることもなく変形させることもなく安全性を確保するのである。更に横配置や縦配置をして、その活用バリエーションを倍加するのである。【００１６】  連結ポールは、多角棒、丸棒が好ましく他に太鼓状や、つずみ状、或いはこれらを適宜組み合わせた形状で、見て触って楽しいポールにすることが出来る。【００１７】  前記連結具は、連結ポールとエンドプレートとを連結し、及び連結ポールと上反り湾曲プレートの側面枠を介してのエンドプレートとを連結するものであり、エンドプレートや側面枠に設けた前記挿入穴の回転防止部に嵌める被回転防止部と前記緩み防止パッキン付ナットの構成により、子供たちのあらゆる無茶な取り扱いに対して連結ポールとエンドプレートを回転させることなく安全に緊締連結しその状態を保持するものである。また着脱は簡単構造のスパナ等で簡単に可能である。【００１８】  おもな組み立て構造は次の各実施例があげられるが、これはほんの一例であり、色々なバリエーションが多く、子供たちの創造に任せて色々組み立てて見せたり、実際に組み立てさせることができる等の教材的な役割を十分に果たすものである。
【図面の簡単な説明】
【００１９】
【図１】本発明の子供用家具調遊具の各組み立てパーツを示す説明図である。
【図２】連結具の詳細説明図である。
【図３】連結具によるエンドプレートと連結ポールとの連結順の例を図解した説明図である。
【図４】エンドプレートと連結ポールの分解説明図である。
【図５】組み立て例１を示す斜視説明図である。
【図６】組み立て例２を示す斜視説明図である。
【図７】組み立て例３を示す斜視説明図である。
【図８】組み立て例４を示す斜視説明図である。
【図９】組み立て例５を示す斜視説明図である。
【図１０】他の連結具の詳細説明図である。
【図１１】組み立て例６を示す斜視説明図である。
【図１２】組み立て例７を示す斜視説明図である。
【図１３】組み立て例８を示す斜視説明図である。
【図１４】組み立て例９を示す斜視説明図である。
【図１５】組み立て例１０を示す斜視説明図である。
【発明を実施するための形態】
【００２０】本発明を実施するための形態を実施例１及び実施例２により詳細に説明する。
【実施例１】
【００２１】図１〜図４には、本発明の実施例１の子供用家具調遊具の各組み立てパーツを紹介し、これらを適宜組み合わせた家具調の楽しい遊具例を図５〜図９にて紹介する。
実施例１における子供用家具調遊具の組み立て構成部材を図１〜図４に示す。
本例の子供用家具調遊具は、図１（１）に示す一対のエンドプレート１００Ｌ，１００Ｒと、このエンドプレート間に図１（２）に示す複数の連結ポール２００を平行に介在させ、前記エンドプレート１００Ｌ，１００Ｒと各連結ポール２００を図１（２）と図２に示す連結具３００で図３に示す順に着脱可能に連結することを基本構成とする。この組み立て前の分解斜視概略図を図４に示す。【００２２】  エンドプレート１００Ｌ，１００Ｒは、横配置や縦配置を自由に任意に選択して、連結ポール２００上への載置用で図１（３）に示す座面用、ステップ用、机の上板用、テーブル用等のプレート４００、図１（４）に示す滑り台用の滑りプレート５００、図１（５）に示し座面６０１と背凭れ６０２でＬ型に一体構成した背凭れ椅子６００、図１（６−１）、（６−２）、図７（３）、図８に示す座布７００、７００ａ〜７００ｄ等を適宜選択して、各種例の家具調遊具に迅速安全に容易に組み立てるのである。【００２３】  エンドプレート１００Ｌ，１００Ｒは、子供に優しい各種カラー素板を複数枚合わせ端面１１０がカラー層状の軽量堅牢な木製合板、各種カラーの単木製やプラスチック製、軽金属製等を用いる。側面には動物絵、風景絵、幾何学的模様、漫画等々楽しい絵を描き子供たちの色彩感覚や絵画感覚を醸成することができる。【００２４】  またエンドプレート１００Ｌ，１００Ｒは、両側面１０１ａ，１０１ｂを平面にし全端面１１０を曲面にした丸みを付けたＡ型プレートとして抵抗なく安全に取り扱うことができる。また両側面１０１ａ，１０１ｂに回転防止部１０２を形成した複数の穴１０３を穿設して連結具３００で緊締して保形したので、使用中に連結ポール２００を回転させて緩めることもなく変形させることもなく安全性を確保するのである。更に横配置や縦配置をして、その活用バリエーションを倍加するのである。【００２５】連結ポール２００は、材質を子供に優しく軽量堅牢な木製、プラスチック製、軽金属製等を用いる。連結ポール２００は、形状を多角棒、丸棒が好ましく他に太鼓状や、つづみ状、或いはこれらを適宜組み合わせた興味を誘う楽しい形状にすることができるポールである。
連結ポール２００はエンドプレート１００Ｌ，１００Ｒ間に組み立て体に応じて適宜平行に配置し連結具３００で緊締連結しエンドプレート１００Ｌ，１００Ｒとの組み合わせ形状を強固に安全に保形する。【００２６】図１の（２）と図２〜図３に示す連結具３００は、材質を軽量堅牢な木製、プラスチック製、軽金属製等としている。連結具３００の構造は図２に分解して拡大して示すようにナット３０５を除いて一体に形成したもので、後部に連結ポール２００の端部の嵌入穴２０１に嵌入連結する嵌入連結部３０１と、連結ポール２００の端面とエンドプレート１００Ｌ，１００Ｒの前記穴１０３の内側（連結ポール側）の周囲に当接する鍔３０２を形成し、中央部に前記穴１０３の回転防止部１０２用の被回転防止部３０３を形成して前記穴１０３に挿出入可能にした胴部３０４を形成し、前記穴１０３から突出する前部にナット３０６を螺合するボルト部３０５を形成し、前記ナット３０６はエンドプレート１００Ｌ，１００Ｒの穴１０３の外側の周面に当接する面に緩み防止パッキン３０７を設けたものである。【００２７】図３には図２の（１）に示す状態から連結ポール２００とエンドプレート１００Ｌ，１００Ｒとを連結していく順を示し、図３（１）は、連結ポール２００の両端に設けた嵌入穴２０１に連結具３００の嵌入連結部３０１を嵌めて止めビスで固定した状態を示し、図３（２）はエンドプレート１００Ｌ，１００Ｒの穴１０３に、その回転防止部１０２と連結具３００の胴部３０４の被回転防止部３０３とを位置合わせして胴部３０４を挿入してボルト部３０５部を穴１０３から突出し、エンドプレートと連結ポールとの相対的回転を阻止した状態を示し、最後に図３（３）は、穴１０３から突出したボルト部３０５部にナット３０６を螺合して、エンドプレート１００Ｌ，１００Ｒを鍔３０２とナット３０６により強固に圧縮挟持され緩むことが無く緊締し連結を完了する。
またナット３０６の緩み防止パッキン３０７は鍔３０２との挟持の祭及び挟持後に外力が加わってもクッション効果により吸収してエンドプレート１００Ｌ，１００Ｒを圧潰することはない。
ナット３０６には図１の（１）と（５）に示すようにスパナ等の螺合治具を用いて螺合とその解除を容易にするための回転用段３０６ａを付設してある。【００２８】図１（３−１）に示す平プレート４００は、下面の前後に連結ポール２００との着脱手段として下駄の歯状にストッパー４０１、４０２を設け、これをエンドプレート１００Ｌ，１００Ｒ前後の間に嵌めて載置時の滑り落ちを防止し、且つ取り外しを容易にする。前記ストッパー４０１、４０２は連結ポール２００の外側に配置してもよい。
また連結ポール２００との着脱手段として図１（３−２）に示すようにストッパー４０１、４０２に代わって磁石４０５，４０６を設けると共に連結ポール２００の被載置部に磁石又は磁性金属板２１１、２１２を固定配置して着脱可能にしてもよい。
また図示していないが、ストッパー４０１、４０２に代わって微細フック布（マジックテープのフック布）を貼設し、連結ポール２００の被載置部に微細リング布（マジックテープのリング布）を貼設して着脱可能にしてもよい。【００２９】滑りプレート５００は、表面の滑り面を平面状又は湾曲面状に形成し、上端部を、エンドプレート１００Ｌ，１００Ｒの上部の前部の連結ポール２００に一体的に装着し、下端部を、床面や地面に当接させて滑り台を構成する。滑りプレート５００の長手方向に亘り幅方向の両サイドには手摺り５０２を配置してある。【００３０】背凭れ椅子６００は、座面６０１の前後に連結ポール２００との着脱手段として下駄の歯状にストッパー６０３、６０４を設け、これをエンドプレート１００Ｌ，１００Ｒ前後の連結ポール２００の間に嵌めて載置き時の滑り落ちを防止し、且つ取り外しを容易にする。前記ストッパー６０３、６０４は連結ポール２００の外側に配置してもよい。
また図示していないが、前記平プレート４００と同様にストッパー６０３、６０４に代わって磁石を設けると共に連結ポール２００の被載置部に磁石又は磁性金属板を固定配置して着脱可能にしてもよい。
またストッパー６０３、６０４に代わって微細フック布（マジックテープのフック布）を貼設し、連結ポール２００の被載置部に微細リング布（マジックテープのリング布）を貼設して着脱可能にしてもよい。【００３０１】座布７００は、連結ポール２００との着脱手段として図１の（６−１）に示すように、貫通袋縫い部７０１、７０２を形成して、この貫通袋縫い部７０１、７０２に連結ポール２００を挿通させた状態にし、腰や背中に優しい湾曲自在な座面を形成する。
また貫通袋縫い部７０１、７０２に代わって図１の（６−２）に示すように、金属製のフック７０３，７０４を設けて、このフック７０３，７０４を連結ポール２００に掛けてもよい。また貫通袋縫い部７０１、７０２に代わって前記した微細フック布（マジックテープのフック布）を広めに貼設し、連結ポール２００に微細リング布（マジックテープのリング布）を微細フック布に合わせて広めに貼設して着脱可能にしてもよい。【００３２】＜組み立て例１＞
図５に、前記一対のエンドプレート１００Ｌ，１００Ｒを縦型に対面配置して、このエンドプレート１００Ｌ，１００Ｒ間を複数本の連結ポール２００と前記連結具３００で連結することにより構成したブックラック等のフリーラックＡを示す。【００３３】＜組み立て例２＞
図６（１）に、前記一対のエンドプレート１００Ｌ，１００Ｒを縦型に対面配置して、このエンドプレート１００Ｌ，１００Ｒ間を、連結ポール２００で連結し、座面用又は机の上板用の平プレート４００ａを水平状態にして前後２本の連結ポール２００の上に載置し、平プレート４００と連結ポール２００との着脱手段を図１の（３−１）に示す下駄の歯状のストッパーにして構成した多目的台Ｂを示し、図６（２）に座面プレート４００ｂを水平状態にして少し高めの前後２本の連結ポール２００の上に載置して構成した工作やお絵かき用の学習台Ｃを示す。【００３４】＜組み立て例３＞
図７（１）に、前記一対のエンドプレート１００Ｌ，１００Ｒを縦型に対面配置して、このエンドプレート１００Ｌ，１００Ｒ間を、連結ポール２００で連結し、背凭れ椅子６００の座面６０１を水平状態にして前後２本の連結ポール２００の上に載置し連結ポール２００との着脱手段として図１の（３−２）に示す磁石式の着脱手段にした、図７（２）に、前記一対のエンドプレート１００Ｌ，１００Ｒを縦型に対面配置して、このエンドプレート１００Ｌ，１００Ｒ間を、連結ポール２００で連結し、背凭れ椅子６００の座面６０１を水平状態にして前後２本の連結ポール２００の上に載置し、座面６０１と連結ポール２００との着脱手段として図１の（３−２）に示す磁石式の着脱手段にし、この背凭れ椅子６００の前には小さいテーブル６０４を連結ポール２００にビス止めして配置して構成した一人用の食事用机Ｅを示し、図７（３）にエンドプレート１００Ｌ，１００Ｒを９０度倒して横置きにし、背凭れ式に座布７００ｃを斜めにして連結ポール２００に装着し、座布７００ａと連結ポール２００との着脱手段を図１の（６−１）に示す貫通袋縫い部とした一人用のロッキングチェアＦを示す。【００３５】＜組み立て例４＞
図８（１）に、前記一対のエンドプレート１００Ｌ，１００Ｒを縦型に対面配置して、このエンドプレート１００Ｌ，１００Ｒ間を、連結ポール２００で連結し、エンドプレートの中間部の前後の連結ポール２００上に座面用の座布７００ｂを装着し、座布７００ｂと連結ポール２００との着脱手段を図１の（６−１）に示す貫通袋縫い部として構成した長布イスＧを示し、図８（２）に背凭れ式に座布７００ｃを連結ポール２００に斜め装着し、座布７００ｃと連結ポール２００との着脱手段を前記貫通袋縫い部にした布ベンチＨ（ハンモック状）を示し、図８（３）にエンドプレート１００Ｌ，１００Ｒを９０度倒して横置きにし背凭れ式に座布７００ｄを斜め装着し、座布７００ｄと連結ポール２００との着脱手段を前記貫通袋縫い部にしたロッキング長チェアＩを示す。【００３６】＜組み立て例５＞
図９に、前記一対のエンドプレート１００Ｌ，１００Ｒを縦型に対面配置して、このエンドプレート１００Ｌ，１００Ｒ間を、連結ポール２００で連結し、エンドプレートの頂部近傍の前後の連結ポール２００上にステッププレート４００ｃを載置し、ステッププレート４００ｃの前部が載る連結ポール２００に滑りプレート５００の上端部を装着して構成した滑り台Ｊを示す。
この滑り台Ｊはエンドプレート１００Ｌ，１００Ｒの上端部の両サイドを手摺りにし、図示していないが、滑りプレート５００の長手方向に亘り幅方向の両サイドに図１の（４）に示す手摺り５０２を配置する。
【実施例２】
【００２１】図１０〜図１５には、本発明の実施例２の楽しい遊具例を紹介する。
この実施例２における子供用家具調遊具の組み立て構成部材は実施例１と同様形状のエンドプレート１００Ｌ，１００Ｒと、エンドプレート間に複数本を平行に介在させ連結ポール２００と、前記エンドプレート１００Ｌ，１００Ｒと各連結ポール２００とを連結する連結具を図１０に示す連結具３００Ｘ−１、３００Ｘ−２に変更したことを基本構成にし、その他のパーツは実施例１と同一のパーツの他に、上反り湾曲プレート７００と、支持アーム８００と、ハンドルアーム９００等を追加したものである。
実施例１と同一のものか類似のものは同一符号を付してその詳細な説明は省略する。
＜連結具＞
図１０の（１）に示す連結具３００Ｘ−１は、連結ポール２００とエンドプレート１００Ｌ，１００Ｒとの連結用であり、図１０の（２）に示す３００Ｘ−２は、連結ポール２００と上反り湾曲プレートの側面枠７０１及びエンドプレート１００Ｌ，１００Ｒとの連結用であり、いずれも、材質を軽量堅牢なプラスチック製、軽金属製等としており、その構造はほとんど共通しているが、被回転防止部３０３ａ−１の長さを、図１０の（１）ではエンドプレート１００Ｒ（１００Ｌ）の厚み対応長にしてあるのに対して、図１０の（２）では被回転防止部３０３ａ−２の長さを上反り湾曲プレート７００の側面枠７０１厚にエンドプレート１００Ｒ（１００Ｌ）厚を加えた厚み対応長にしていることが異なるのみである。
図１０の（１）に示す連結具３００Ｘ−１は、図１０の（２）にも連結ポール２００と分解して拡大して鳥瞰図で示すようにナット３０５ａを除いて一体に形成したもので、後部に連結ポール２００の端部を挿入しビス３０１ｂ止め連結する挿入連結部３０１ａと、挿入連結部３０１ａにエンドプレート１００Ｌ（１００Ｒ）の前記挿入穴１０３の前記連結ポール２００側の周囲に当接する鍔鍔３０２ａを形成し，中央部に前記挿入穴１０３の回転防止部１０２用の被回転防止部３０３ａ−１を形成して前記挿入穴１０３に挿出入可能にした胴部３０４ａを形成し、前記挿入穴１０３から突出する前部にナット３０６ａを螺合するボルト部３０５ａを形成し、前記ナット３０６ａはエンドプレート１００Ｌ，１００Ｒの穴１０３の外側の周面に当接する面に緩み防止パッキン３０７ａを設けたものである。
前記ナット３０６ａは，三個の挿入孔３０６ｂを有し、この挿入孔３０６ｂに、併記した簡易スパナＳＰの突起ＳＰ−１を挿入されて回され、簡単に締めつけ螺合と、弛緩外しされる。
図１０の（３）に示す連結具３００Ｘ−２も前記したように被回転防止部３０３ａ−２の長さが異なる以外は基本的には連結具３００Ｘ−１と同じであるので連結状態の断面図のみ記載してある。【００２７】＜組み立て例６＞
図１１（１）は、仮称ロッギング馬さんチェアーＫの組み立て例であり、縦にしたエンドプレート１００Ｌ，１００Ｒ間を連結ポール２００で連結し、上部にハンドル用の連結ポール２００で連結した一対の支持アーム８００を有する腰掛用の４００Ｃを設け、下部に搖動用つまりロッギング用にした上反り湾曲プレート７００を設けたものである。上反り湾曲プレート７００の側面枠７０１と当該エンドプレートとの連結は図１０の（２）に示す連結具３００Ｘ−２を用い、その他は図１０の（１）に示す連結具３００Ｘ−１を用いてある。
＜組み立て例７＞
図１１（２）は、仮称立漕ぎロッギングバランサーＬの組み立て例であり、縦にしたエンドプレート１００Ｌ，１００Ｒ間を連結ポール２００で連結し、上部にハンドル用の連結ポール２００で連結し、下部に搖動用つまりロッギング用にした上反り湾曲プレート７００を設けたものである。上反り湾曲プレート７００の側面枠７０１と当該エンドプレートとの連結は図１０の（２）に示す連結具３００Ｘ−２を用い、ハンドル用の連結ポール２００と当該エンドプレートとの連結は図１０の（１）に示す連結具３００Ｘ−１を用いてある。
＜組み立て例８＞
図１２は、滑り台の第二例でＭであり、前記一対のエンドプレート１００Ｌ，１００Ｒを縦型に対面配置して、このエンドプレート１００Ｌ，１００Ｒ間を、連結ポール２００で連結し、エンドプレートの頂部近傍の前後の連結ポール２００上に、上部にハンドル用の連結ポール２００で連結した一対の支持アーム８００を有するステッププレート４００ｃを設け、ステッププレート４００ｃの前部を支持する連結ポール２００に、滑り台用の上反り湾曲プレート７００の側面枠７０１の上端部を連結し、上反り湾曲プレート７００の下端を地面又は床面に接地したものである。
上反り湾曲プレート７００の側面枠７０１と当該エンドプレート１００Ｒ，１００Ｌ上部の連結ポール２００（ポールが隠れて見えないが）との連結は、図１０の（２）に示す連結具３００Ｘ−２を用い、その他は図１０の（１）に示す連結具３００Ｘ−１を用いてある。
＜組み立て例９＞
図１３は、図７の（３）に示すロッギングチェアーＦと同様のロッギングチェアーＮであり、異なる構成部分は、エンドプレート１００Ｒ，１００と連結ポール２００との連結を図１０の（１）に示す連結具３００Ｘ−１を用いてあるところであり詳細な説明は省略する。
＜組み立て例１０＞
図１４ノ（１）に示す組み立て例は、図７の（２）に示す図７（２）に一人用の食事用机Ｅと同様の、一人用の食事用机Ｏであり、テーブル６０４形状と背凭れ椅子６００の背凭れ形状を波型の丸みを持たせたデザインに変更し、エンドプレート１００Ｒ，１００Ｌと連結ポール２００との連結を図１０の（１）に示す連結具３００Ｘ−１に変更したものであり詳細な説明は省略する。
＜組み立て例１１＞
図１４ノ（２）に示す組み立て例は、図７の（１）に示す一人用の椅子Ｄと同様の一人用の椅子Ｐであり、背凭れ椅子６００の背凭れ形状を波型の丸みを持たせたデザインに変更し、座面の前部中央部にハンドルアーム９００を設けて椅子からの滑り落ちを防止するタイプである。
本例もエンドプレート１００Ｒ，１００Ｌと連結ポール２００との連結は、図１０の（１）に示す連結具３００Ｘ−１を用いている。その他の詳細な説明は省略する。
＜組み立て例１２＞
図１５に示す組み立て例は、お絵かき用の画架にしたり、落書き板にしたり、掲示板などにする斜板１０００を設置した多目的スタンドＱであり、一対のエンドプレート１００Ｌ，１００Ｒを縦型に対面配置して、このエンドプレート１００Ｌ，１００Ｒ間を、連結ポール２００で連結し中間連結用の前部連結ポール２００の上に斜板１０００の下部を載置支承し、最上部連結用の連結ポール２００で斜板１０００の高さ方向中央部を支承して、斜板１０００を取り外し可能にセットしたものである。エンドプレート１００Ｌ，１００Ｒと連結ポール２００との連結は、図１０の（１）に示す連結具３００Ｘ−１を用いている。その他の詳細な説明は省略する。
【産業上の利用可能性】
【００３７】  本発明の子供用の家具調遊具は、前記の優れた作用効果を呈するため、幼稚園、保育園などの幼児教育施設に広く活用され教育産業界を始め家具産業界及び遊具産業界に貢献すること多大なものがある。
【符号の説明】
【００３８】１００Ｌ，１００Ｒ：エンドプレート
２００：連結ポール
３００：連結具
３００Ｘ−１、３００Ｘ−２：連結具
Ａ：フリーラック
Ｂ：座り机
Ｃ：学習机
Ｄ：一人用の椅子
Ｅ：一人用の食事用机
Ｆ：一人用のロッキングチェア
Ｇ：長布イス
Ｈ：布ベンチ
Ｉ：ロッキング長チェア
Ｊ：滑り台
Ｋ：ロッギング馬さんチェアー
Ｌ：立漕ぎロッギングバランサー
Ｍ：第二例の滑り台
Ｎ：ロッギングチェアー
Ｏ：一人用の食事用机
Ｐ：一人用の椅子
Ｑ：多目的スタンド
【図１】
2014204946.tif 000003
【図２】
2014204946.tif 000004
【図３】
2014204946.tif 000005
【図４】
2014204946.tif 000006
【図５】
2014204946.tif 000007
【図６】
2014204946.tif 000008
【図７】
2014204946.tif 000009
【図８】
2014204946.tif 000010
【図９】
2014204946.tif 000011
【図１０】
2014204946.tif 000012
【図１１】
2014204946.tif 000013
【図１２】
2014204946.tif 000014
【図１３】
2014204946.tif 000015
【図１４】
2014204946.tif 000016
【図１５】
2014204946.tif 000017